(57)【要約】【課題】物品のグリップ部分に取り付けられるグリップカバーにおいて、手が滑って外れるのを抑止して、使用者の安全性を向上させる。【解決手段】グリップカバー１は、物品のグリップ部分を覆うように形成された筒状部１０を備えている。筒状部１０の表面には、波型形状部１３からなる滑り止め部が設けられている。グリップカバー１をグリップ部分に取り付けた状態で、使用者が波型形状部１３を握ることにより、手を滑り難くできる。【選択図】図１
0003134120.tif 000002
【実用新案登録請求の範囲】
【請求項１】
物品のグリップ部分に取り付けられるグリップカバーであって、
上記グリップ部分を覆うように形成された筒状部を備え、
上記筒状部の表面には、滑り止め部が設けられていることを特徴とするグリップカバー。
【請求項２】
請求項１に記載のグリップカバーにおいて、
滑り止め部は、凹凸形状部で構成されていることを特徴とするグリップカバー。
【請求項３】
請求項１に記載のグリップカバーにおいて、
滑り止め部は、波型形状部で構成されていることを特徴とするグリップカバー。
【請求項４】
請求項３に記載のグリップカバーにおいて、
波型形状部は、筒状部の中心線方向に連続して形成され、
上記波型形状部の隣り合う頂部の間隔は、１０ｍｍ以上３０ｍｍ以下に設定されていることを特徴とするグリップカバー。
【請求項５】
請求項１に記載のグリップカバーにおいて、
滑り止め部は、筒状部の表面に層状に設けられ、該筒状部を構成する材料よりも柔らかい柔軟層で構成されていることを特徴とするグリップカバー。
【請求項６】
請求項１から５のいずれか１つに記載のグリップカバーにおいて、
筒状部は、弾性変形材料で構成され、
上記筒状部には、中心線方向に延びる切れ目が両端に亘って形成されていることを特徴とするグリップカバー。
【請求項７】
請求項６に記載のグリップカバーにおいて、
筒状部の切れ目部分には、ファスナーが設けられていることを特徴とするグリップカバー。
【請求項８】
請求項６に記載のグリップカバーにおいて、
切れ目の長手方向一端側の幅は、筒状部の長手方向一端に近づくに従って拡大するように設定されていることを特徴とするグリップカバー。
【請求項９】
請求項１から８のいずれか１つに記載のグリップカバーにおいて、
滑り止め部は、筒状部の長手方向両端部からそれぞれ径方向に突出して周方向に延びる突条部を含んでいることを特徴とするグリップカバー。
【請求項１０】
請求項１から９のいずれか１つに記載のグリップカバーにおいて、
筒状部の内周面には、滑り止め部が設けられていることを特徴とするグリップカバー。
【請求項１１】
請求項１から１０のいずれか１つに記載のグリップカバーにおいて、
筒状部を構成する材料の硬度は、ショア硬度Ａで９７以下であることを特徴とするグリップカバー。
【請求項１２】
請求項１から１０のいずれか１つに記載のグリップカバーにおいて、
筒状部を構成する材料の硬度は、ロックウェル硬度Ｒスケールで１２０以下であることを特徴とするグリップカバー。
【考案の詳細な説明】
【技術分野】
【０００１】
本考案は、物品のグリップ部分に取り付けられるグリップカバーに関するものである。
【背景技術】
【０００２】
従来より、例えば、実開平６−９６００号公報に開示されているように、手すりのグリップ部分に樹脂製のグリップカバーを取り付けることが行われている。このグリップカバーは、手すりを覆う筒状をなしており、その内周面には、手すりに係合する突起が形成されている。また、グリップカバーの外周面は、滑らかな湾曲面で構成されている。
【考案の開示】
【考案が解決しようとする課題】
【０００３】
ところで、上記文献に開示されているグリップカバーを人が手で握ったまま、例えば立ち上がる場合には、グリップカバーに体重をかけることになる。このとき、上記グリップカバーの外周面は滑らかな湾曲面で構成されているだけなので、手が滑って外れてしまうことが考えられる。特に、握力の弱い高齢者の場合には、このことが問題となり易い。
【０００４】
本考案は、かかる点に鑑みてなされたものであり、その目的とするところは、物品のグリップ部分に取り付けられるグリップカバーにおいて、手がグリップカバーから滑って外れるのを抑止して、使用者の安全性を向上させることにある。
【課題を解決するための手段】
【０００５】
上記の課題を解決するために本考案のグリップカバーは、次に示す構成を有している。
【０００６】
すなわち、第１の考案では、物品のグリップ部分に取り付けられるグリップカバーであって、上記グリップ部分を覆うように形成された筒状部を備え、上記筒状部の表面には、滑り止め部が設けられている構成とする。
【０００７】
この構成によれば、使用者がグリップカバーの筒状部を握って使用するとき、筒状部の滑り止め部によって手が滑り難くなる。
【０００８】
第２の考案では、第１の考案において、滑り止め部は、凹凸形状部で構成されているものとする。
【０００９】
この構成によれば、使用者の手がグリップカバーを握った際に凹凸形状部に沿うようになり、より一層滑り難くなる。
【００１０】
第３の考案では、第１の考案において、滑り止め部は、波型形状部で構成されているものとする。
【００１１】
この構成によれば、使用者がグリップカバーを握った際に、指が波型形状部における隣り合う頂部の間に嵌るようになる。これにより、使用者の手が一層滑り難くなる。
【００１２】
第４の考案では、第３の考案において、波型形状部は、筒状部の中心線方向に連続して形成され、上記波型形状部の隣り合う頂部の間隔は、１０ｍｍ以上３０ｍｍ以下に設定されている構成とする。
【００１３】
この構成によれば、一般的な使用者の手の指が、波型形状部における頂部の間に確実に嵌るようになり、握力が低くても手が滑り難くなる。
【００１４】
第５の考案では、第１の考案において、滑り止め部は、筒状部の表面に層状に設けられ、該筒状部を構成する材料よりも柔らかい柔軟層で構成されているものとする。
【００１５】
この構成によれば、使用者がグリップカバーを握ったときに、柔軟層が指や手のひらに沿うように変形する。これにより、使用者の手が一層滑り難くなる。
【００１６】
第６の考案では、第１から５のいずれか１つの考案において、筒状部は、弾性変形材料で構成され、上記筒状部には、中心線方向に延びる切れ目が両端に亘って形成されている構成とする。
【００１７】
この構成によれば、グリップカバーを物品のグリップ部分に取り付ける際に、筒状部を切れ目の部分から展開するように開き、この開いた部分からグリップ部分を筒状部の内部に入れて元の形状に戻すだけで済む。よって、グリップカバーの取付作業が容易になる。
【００１８】
第７の考案では、第６の考案において、筒状部の切れ目部分には、ファスナーが設けられている構成とする。
【００１９】
この構成によれば、グリップカバーを物品のグリップ部分に取り付ける際に、筒状部を切れ目の部分から展開するように開き、この開いた部分からグリップ部分を筒状部の内部に入れてファスナーを閉めることで、グリップカバーが確実に取り付けられる。
【００２０】
第８の考案では、第６の考案において、切れ目の長手方向一端側の幅は、筒状部の長手方向一端に近づくに従って拡大するように設定されている構成とする。
【００２１】
この構成によれば、グリップカバーを物品のグリップ部分に取り付ける際に、筒状部の切れ目の拡大している側からグリップ部分を筒状部の内部に容易に入れることが可能になり、取り付け作業性が向上する。
【００２２】
第９の考案では、第１から８のいずれか１つの考案において、滑り止め部は、筒状部の長手方向両端部からそれぞれ径方向に突出して周方向に延びる突条部を含んでいる構成とする。
【００２３】
この構成によれば、グリップカバーを握った手が筒状部の長手方向に仮に滑った場合に、手が突条部に引っ掛かり、筒状部から外れ難くなる。
【００２４】
第１０の考案では、第１から９のいずれか１つの考案において、筒状部の内周面には、滑り止め部が設けられている構成とする。
【００２５】
この構成によれば、グリップカバーが物品のグリップ部分に対し滑り難くなり、グリップカバーの位置ずれが防止される。
【００２６】
第１１の考案では、第１から１０のいずれか１つの考案において、筒状部を構成する材料の硬度は、ショア硬度Ａで９７以下である構成とする。
【００２７】
第１２の考案では、第１から１０のいずれか１つの考案において、筒状部を構成する材料の硬度は、ロックウェル硬度Ｒスケールで１２０以下である構成とする。
【００２８】
第１１及び第１２の考案によれば、グリップカバーをグリップ部分に取り付ける際、筒状部を変形させることが可能になる。
【考案の効果】
【００２９】
本考案によれば、物品のグリップ部分を覆うように形成された筒状部の表面に滑り止め部を設けたので、使用者の手が筒状部から滑って外れることを抑止でき、安全性を高めることができる。
【考案を実施するための最良の形態】
【００３０】
以下、本考案の実施形態を図面に基づいて詳細に説明する。尚、以下の好ましい実施形態の説明は、本質的に例示に過ぎず、本考案、その適用物或いはその用途を制限することを意図するものではない。
【００３１】
図１は、本考案の実施形態に係るグリップカバー１を示すものである。このグリップカバー１は、図２に示すように、例えば、上下方向に延びる円柱状の手すり３のグリップ部分３ａに取り付けられて使用されるようになっている。尚、手すり３の材質としては、金属、木材、樹脂等のいずれであってもよい。
【００３２】
グリップカバー１は、図３〜図７に示すように、弾性変形材料からなる円筒状の筒状部１０を備えている。この筒状部１０を構成する材料としては、例えば、ポリプロピレン等の樹脂材や、硬質エラストマー、ゴム等が挙げられる。筒状部１０を構成する材料をゴムやエラストマーとする場合には、それらの硬度は、ショア硬度Ａで２０以上９７以下の範囲で設定するのが好ましい。尚、筒状部１０を構成する材料を樹脂材とする場合には、その硬度は、ロックウェル硬度Ｒスケールで４０以上１２０以下の範囲で設定するのが好ましい。
【００３３】
筒状部１０の中心線方向の長さは、一般的な人の手のひらの幅よりも長く、例えば、約２００ｍｍに設定されている。筒状部１０の内径は、グリップ部分３ａの外径よりも若干小さめに設定されている。また、筒状部１０の内周面は、グリップ部分３ａの外周面に沿って延びるように、滑らかな湾曲面で構成されている。従って、グリップカバー１をグリップ部分３ａに取り付けた状態では、筒状部１０の内周面の略全体がグリップ部分３ａの外周面に密着するようになっている。
【００３４】
筒状部１０には、図１に示すように、その中心線方向に延びる切れ目１１が両端に亘って形成されている。この切れ目１１は筒状部１０の中心線に沿って直線状に延びている。上記切れ目１１を設けたことで、図５に仮想線で示すように、筒状部１０は、切れ目１１の部分から展開するように開くことができるようになっている。
【００３５】
切れ目１１の長手方向一端側（図１の左側）は、筒状部１０の長手方向一端（左端）に近づくに従って次第に幅が拡大するように設定された拡大部１１ａとされている。切れ目１１の拡大部１１ａにおける長手方向一端の幅は、１０ｍｍ以上２０ｍｍ以下に設定されている。また、切れ目１１の拡大部１１ａ以外の幅は、グリップカバー１をグリップ部分３ａに装着した状態で、１ｍｍ以下となるように設定されている。これにより、切れ目１１からグリップ部分３ａが見えにくくなり、見栄えの向上が図られる。尚、上記切れ目１１の幅としては、０．６ｍｍ以下が好ましい。
【００３６】
筒状部１１の外周面の中心線方向両端部には、それぞれ、径方向外方へ突出して周方向に延びる突条部１２、１２が設けられている。これら突条部１２、１２は同じ形状とされ、突条部１２、１２の突出方向先端面は、曲面で構成されている。
【００３７】
また、筒状部１０の外周面の両突条部１２、１２の間には、中心線方向に連続する波型形状部（滑り止め部）１３が設けられている。波型形状部１３の頂部１３ａは、筒状部１０の径方向外方へ向けて湾曲した湾曲面で構成されている。筒状部１０における頂部１３ａが形成された箇所の外径は、突条部１２が形成された箇所の外径と略同じに設定されている。波型形状部１３の隣り合う頂部１３ａ、１３ａの間隔は、１０ｍｍ以上３０ｍｍ以下に設定されている。
【００３８】
また、波型形状部１３の隣り合う頂部１３ａ、１３ａの間に位置する底部１３ｂは、筒状部１０の径方向内方へ向けて湾曲した湾曲面で構成されている。底部１３ｂは隣り合う頂部１３ａ、１３ａと滑らかに連なっており、筒状部１０の外周面には、底部１３ｂによる窪みが周方向に延びるように形成されることになる。また、図４に示すように、筒状部１０における底部１３ｂに対応する部位の肉厚は、頂部１３ａに対応する部位の肉厚よりも薄くなっている。
【００３９】
次に、上記のように構成されたグリップカバー１を手すり３のグリップ部分３ａに取り付ける要領について説明する。まず、筒状部１０が切れ目１１の部分から展開するように、該筒状部１０に力を加える。すると、図５に示すように、筒状部１０が弾性変形して開く。このとき、筒状部１０の材料の硬度をショア硬度Ａで９７以下、または、ロックウェル硬度Ｒスケールで１２０以下としているので、十分に変形させることが可能である。
【００４０】
次いで、この開いた部分からグリップ部分３ａを筒状部１０の内部に入れる。このとき、切れ目１１の拡大部１１ａに対応する部位は、他の部位よりも大きく開いており、この拡大部１１ａからグリップ部分３ａを入れることで、作業性が高まる。しかる後、筒状部１０に加えていた力を除いて筒状部１０の形状を復元させる。これにより、グリップカバー１がグリップ部３ａに取り付けられる。この取り付け状態では、筒状部１０の材料の硬度をショア硬度Ａで２０以上としているので、形状が維持され、グリップ部分３ａから外れにくい。
【００４１】
次に、使用者がグリップカバー１の筒状部１０を握って使用する場合について説明する。使用者がグリップカバー１を握ると、指が波型形状部１３における隣り合う頂部１３ａ、１３ａの間に嵌る。このとき、波型形状部１３の隣り合う頂部１３ａ、１３ａの間隔を１０ｍｍ以上３０ｍｍ以下しているので、一般的な使用者の指が隣り合う頂部１３ａ、１３ａの間に確実に嵌り、よって、手が滑り難くなる。また、仮に、グリップカバー１を握った手が筒状部１０の長手方向に滑った場合には、手が突条部１２に引っ掛かり、筒状部１０から外れ難くなる。
【００４２】
したがって、この実施形態に係るグリップカバー１によれば、筒状部１０に波型形状部１３を設けたので、使用者の手が筒状部１０から滑って外れることを抑止でき、安全性を高めることができる。
【００４３】
また、筒状部１０の材料の硬度を上記範囲に設定したことで、グリップカバー１のグリップ部分３ａからの外れを抑止しながら、取付時には変形させて取り付け作業性を向上させることができる。
【００４４】
また、例えば、図８に示すように、２つのグリップカバー１、１を、グリップ部分３ａの中心線方向に並べて使用するようにしてもよい。この場合は、一方のグリップカバー１の切れ目１１の拡大部１１ａが他方のグリップカバー１とは反対側に位置するように配置する。
【００４５】
また、上記実施形態では、筒状部１０を単層構造としているが、これに限らず、例えば、図９に示す変形例１のように、多層構造としてもよい。この変形例１では、上記した樹脂材からなる筒状部１０の表面に該樹脂材よりも柔らかい樹脂材からなる柔軟層２０が設けられている。この柔軟層２０は、使用者の握力によって変形する程度の柔らかさを有しており、例えば、軟質のウレタン塗料や発泡ウレタン等で構成されている。柔軟層２０を設けることで、使用者がグリップカバー１を握ったときに、柔軟層２０が指や手のひらに沿うように変形する。これにより、使用者の手が一層滑り難くなるとともに、使用感が良好になる。この柔軟層２０を設ける場合には、波型形状部１３を省略してもよい。また、柔軟層２０は、例えば、ゴムで形成してもよい。
【００４６】
また、図１０に示す変形例２のように、筒状部１０の外周面に、周方向に延びる凸条部３０ａと凹条部３０ｂを中心線方向に交互に配置してなる凹凸形状部３０を設けるようにしてもよい。この変形例３では、使用者の手が、グリップカバー１を握った際に凹凸形状部３０に沿うようになり、滑り難くなる。
【００４７】
また、図１１に示す変形例３のように、筒状部１０の内周面に、ゴム等からなる滑り止め部材（滑り止め部）２５を貼り付けるようにしてもよい。この滑り止め部材２５により、筒状部１０がグリップ部分３ａに対して滑り難くなり、グリップカバー１の位置ずれを防止できる。滑り止め部材２５としては、ゴム以外にも、粘着テープ等で構成することができる。また、滑り止め部材２５の代わりに、筒状部１０の内周面に接着剤を塗布して滑り止め部を構成するようにしてもよい。
【００４８】
また、図１２に示す変形例４のように、筒状部１０の長手方向中間部分１０ａと、両端部分１０ｂ、１０ｂとで樹脂材を変えて、これらを一体化してもよい。変形例４では、両端部分１０ｂを構成する樹脂材が、中間部分１０ａを構成する樹脂材よりも硬い。これにより、筒状部１０をその両端部分１０ｂ、１０ｂによってグリップ部分３ａにしっかりと固定でき、また、使用者が握る機会の多い中間部分１０ａが比較的柔らかいので、手を滑り難くできるとともに、使用感を良好にすることができる。
【００４９】
また、筒状部１０の外周面の形状は、波型形状部１３や凹凸形状部３０に限られるものではなく、任意の形状に設定することができる。
【００５０】
また、図１３に示す変形例５のように、筒状部１０の切れ目１１部分に、ファスナー４０を設け、このファスナー４０によって切れ目１１部分を閉じることができるようにしてもよい。このファスナー４０は、切れ目１１の一方縁部に縫い付けられた第１ファスナー部材４１と、他方縁部に縫い付けられた第２ファスナー部材４２と、これらファスナー部材４１、４２が有する係合片同士を互いに係脱させるスライダー４３とを備えた周知の構造のものである。第１及び第２ファスナー部材４１、４２は、筒状部１０の内側に配置されている。従って、ファスナー４０を閉じた状態では、これらファスナー部材４１、４２及びスライダー４３は、外側から見え難く、しかも、グリップカバー１を持つ者の邪魔になり難くなっている。この変形例５では、グリップカバー１を手すり３に取り付ける際に、ファスナー４０を開状態にした後、筒状部１０を切れ目１１の部分から展開するように開き、この開いた部分からグリップ部分３ａを筒状部１０の内部に入れてファスナー４０を閉めることで、グリップカバー１がグリップ部分３ａに簡単にかつ確実に取り付けられる。上記第１及び第２ファスナー部材４１、４２は、筒状部１０に対して縫い付け以外の方法、例えば、熱溶着、接着等の方法を用いて取り付けるようにしてもよい。
【００５１】
尚、上述の実施形態は本考案の例示であり、本考案はこれらの例に限定されない。筒状部１０の材料は、例えば、ポリエチレンやゴム等であってもよい。また、筒状部１０には、切れ目１１を形成することなく、筒状部１０の長手方向一端側から手すり３のグリップ部分３ａを挿入してグリップ部分３ａに取り付けるようにしてもよい。また、筒状部１０の内周面に凹凸形状部や、波型形状部を設けてもよい。
【００５２】
また、グリップ部分の角柱であれば、それに対応するように、グリップカバー１の筒状部１０を角筒状に形成すればよい。
【００５３】
また、グリップカバー１は、上下方向に延びる手すり３以外にも、水平に延びる手すりや傾斜して延びる手すり、屈曲して延びる手すりの各グリップ部分に取り付けることができる。さらに、グリップカバー１は、手すり以外にも、グリップ部分を有する物品であれば使用することができる。
【産業上の利用可能性】
【００５４】
以上説明したように、本考案に係るグリップカバーは、手が滑って外れるのを抑止できるので、例えば、手すり等に有用である。
【図面の簡単な説明】
【００５５】
【図１】本考案の実施形態に係るグリップカバーを切れ目側から見た正面図である。
【図２】グリップカバーの使用状態を説明する図である。
【図３】グリップカバーの背面図である。
【図４】図５のIV−IV線における断面図である。
【図５】グリップカバーを図１のＹ方向から見た側面図である。
【図６】図１のVI−VI線における断面図である。
【図７】図１のVII−VII線における断面図である。
【図８】グリップカバーの取り付け例を説明する図である。
【図９】変形例１に係る図４相当図である。
【図１０】変形例２に係る図１相当図である。
【図１１】変形例３に係る図４相当図である。
【図１２】変形例４に係る図４相当図である。
【図１３】変形例５に係る図１相当図である。
【図１４】ファスナーを開いた状態の図１３相当図である。
【図１５】変形例５に係る図５相当図である。
【符号の説明】
【００５６】
１            グリップカバー
３            手すり（物品）
３ａ          グリップ部分
１０          筒状部
１２          突条部
１３          波型形状部（滑り止め部）
２０          柔軟層（滑り止め部）
２５          滑り止め部材（滑り止め部）
３０          凹凸形状部
４０          ファスナー
【図１】
0003134120.tif 000003
【図２】
0003134120.tif 000004
【図３】
0003134120.tif 000005
【図４】
0003134120.tif 000006
【図５】
0003134120.tif 000007
【図６】
0003134120.tif 000008
【図７】
0003134120.tif 000009
【図８】
0003134120.tif 000010
【図９】
0003134120.tif 000011
【図１０】
0003134120.tif 000012
【図１１】
0003134120.tif 000013
【図１２】
0003134120.tif 000014
【図１３】
0003134120.tif 000015
【図１４】
0003134120.tif 000016
【図１５】
0003134120.tif 000017